(57)【要約】【課題】サムネイル画像をカテゴリごとに連続性をもって表示することができ、サムネイル画像の閲覧および検索を簡易に行う。【解決手段】タッチ入力部からの入力によって、液晶モニタに一覧表示可能な、画像データの縮小画像であるサムネイル画像を分類するための画像データの属性に基づいたカテゴリの選択を受け付けるカテゴリ選択部２０２と、カテゴリ選択部２０２によってカテゴリの選択を受け付けた場合、外部メモリ１４から、画像データの属性を参照して選択されたカテゴリに対応する属性の画像データを抽出する抽出部２０３と、抽出した画像データを、選択されたカテゴリのサムネイル画像として液晶モニタに表示するとともに、選択されたカテゴリの直前または直後のカテゴリのサムネイル画像を選択されたカテゴリに対して隣接する位置に表示するサムネイル画像表示部２１３と、を備えた。【選択図】        図６
2008131377.tif 000002
【特許請求の範囲】
【請求項１】
表示部に情報を表示する表示装置において、
入力部からの入力によって、前記表示部に一覧表示可能な、画像データの縮小画像であるサムネイル画像を分類するための前記画像データの属性に基づいたカテゴリの選択を受け付けるカテゴリ選択手段と、
前記カテゴリ選択手段によって前記カテゴリの選択を受け付けた場合、前記画像データを保存する記憶部から、前記画像データの属性を参照して、選択された前記カテゴリに対応する属性の前記画像データを抽出する抽出手段と、
前記抽出手段によって抽出した前記画像データを、選択された前記カテゴリの前記サムネイル画像として前記表示部に表示するとともに、選択された前記カテゴリの直前または直後のカテゴリの前記サムネイル画像を選択された前記カテゴリに対して隣接する位置に表示するサムネイル画像表示手段と、
を備えたことを特徴とする表示装置。
【請求項２】
前記サムネイル画像表示手段は、選択された前記カテゴリの直前または直後のカテゴリの代表的な画像である代表サムネイル画像を、前記隣接する位置に表示すること、
を特徴とする請求項１に記載の表示装置。
【請求項３】
利用者の選択により、前記代表サムネイル画像を、同一のカテゴリ内の他の前記サムネイル画像に変更する代表画像変更手段と、をさらに備え、
前記サムネイル表示手段は、変更された前記代表サムネイル画像を、前記隣接する位置に表示すること、
を特徴とする請求項２に記載の表示装置。
【請求項４】
前記サムネイル画像表示手段を備え、情報を円弧状に配置して前記表示部に表示する表示制御手段を、さらに備え、
前記入力部は、略円形状の押圧入力が可能に形成されており、
前記表示制御手段は、前記情報を、前記入力部からの前記押圧入力による前記略円形状の一部の円弧と相似する円弧状に配置して前記表示部に表示すること、
を特徴とする請求項１に記載の表示装置。
【請求項５】
前記サムネイル画像表示手段は、選択された前記カテゴリの前記サムネイル画像を、前記円弧状に配置して前記表示部に表示すること、
を特徴とする請求項４に記載の表示装置。
【請求項６】
前記表示制御手段は、メニュー表示手段をさらに備え、
前記メニュー表示手段は、前記表示装置の機能設定または機能選択のためのメニュー項目を表示するメニュー画面を、前記円弧状に配置して前記表示部に表示すること、
を特徴とする請求項４に記載の表示装置。
【請求項７】
前記表示部に表示可能な全ての情報における、前記表示部に表示されている前記情報の位置を示すポインタを、前記表示部に表示可能な全ての情報の範囲を示すポインタ表示領域に表示するポインタ表示手段と、をさらに備えたこと、
を特徴とする請求項１に記載の表示装置。
【請求項８】
前記ポインタ表示領域は、前記表示部に表示可能な同一のカテゴリの全てのサムネイル画像の範囲を示し、
前記ポインタ表示手段は、前記カテゴリに属する先頭から最終までの全ての前記サムネイル画像における、前記表示部に表示されている前記サムネイル画像の位置を示す前記ポインタを、前記表示部の前記ポインタ表示領域に表示すること、
を特徴とする請求項７に記載の表示装置。
【請求項９】
前記ポインタ表示領域は、前記表示部に表示可能な全てのメニュー項目の範囲を示し、
前記ポインタ表示手段は、前記全ての前記メニュー項目における、前記表示部に表示されている前記メニュー項目の位置を示す前記ポインタを、前記表示部の前記ポインタ表示領域に表示すること、
を特徴とする請求項７に記載の表示装置。
【請求項１０】
前記入力部は、タッチ操作による前記押圧入力が可能であり、
前記入力部から連続する前記押圧入力があった場合に、押圧位置の移動を検出する検出手段と、を更に備えたこと、
を特徴とする請求項６に記載の表示装置。
【請求項１１】
前記サムネイル画像表示手段は、前記検出手段による前記略円形状の一周に相当する前記押圧位置の移動の検出に対して、選択された前記カテゴリの前記サムネイル画像を先頭から最終まで連続して移動表示すること、
を特徴とする請求項１０に記載の表示装置。
【請求項１２】
前記メニュー表示手段は、前記検出手段による前記略円形状の一周に相当する前記押圧位置の移動の検出に対して、前記メニュー項目を先頭から最終まで連続して移動表示すること、
を特徴とする請求項１０に記載の表示装置。
【請求項１３】
前記カテゴリは、前記画像データを前記記憶部に保存した日付を含み、
前記直前のカテゴリは、前記画像データを前記記憶部に保存した日付であって、選択された日付の直前の日付であり、
前記直後のカテゴリは、前記画像データを前記記憶部に保存した日付であって、選択された日付の直後の日付であること、
を特徴とする請求項１に記載の表示装置。
【請求項１４】
前記画像データは、Exif（Exchangeable Image File Format）情報が付加されており、
前記抽出手段は、前記カテゴリ選択手段によって前記カテゴリの選択を受け付けた場合、前記記憶部から、前記Exif情報を参照して、選択された前記カテゴリに対応する前記Exif情報の属性の前記画像データを抽出することを特徴とする請求項１に記載の表示装置。
【請求項１５】
前記入力部は、前記押圧入力による静電容量の変化を検知する静電部材を含むこと、
を特徴とする請求項１０に記載の表示装置。
【請求項１６】
表示部に情報を表示する表示装置で実行される表示方法において、
入力部からの入力によって、前記表示部に一覧表示可能な、画像データの縮小画像であるサムネイル画像を分類するための前記画像データの属性に基づいたカテゴリの選択を受け付けるカテゴリ選択ステップと、
前記カテゴリ選択ステップによって前記カテゴリの選択を受け付けた場合、前記画像データを保存する記憶部から、前記画像データの属性を参照して、選択された前記カテゴリに対応する属性の前記画像データを抽出する抽出ステップと、
前記抽出ステップによって抽出した前記画像データを、選択された前記カテゴリの前記サムネイル画像として前記表示部に表示するとともに、選択された前記カテゴリの直前または直後のカテゴリの前記サムネイル画像を選択された前記カテゴリに対して隣接する位置に表示するサムネイル画像表示ステップと、
を含むことを特徴とする表示方法。
【請求項１７】
請求項１６に記載された表示方法をコンピュータに実行させることを特徴とする表示プログラム。
【発明の詳細な説明】
【技術分野】
【０００１】
本発明は、表示装置の表示部（表示画面）にカテゴリに分類した画像データのサムネイル画像を表示する表示装置、表示方法、および表示プログラムに関する。
【背景技術】
【０００２】
従来のデジタルカメラでは、撮影した日付ごとに、その撮影した画像データをカレンダーに登録していた。そして、デジタルカメラの液晶モニタに表示されたカレンダーのそれぞれの日付に、画像データのサムネイル画像を表示（再生）していた（例えば、非特許文献１）。
【０００３】
【非特許文献１】オリンパスイメージング株式会社（Ｒ）  デジタルカメラ  ＳＰ−７００  取扱説明書  応用編
【発明の開示】
【発明が解決しようとする課題】
【０００４】
しかしながら、デジタルカメラの液晶モニタに表示されたカレンダーに対して画像データのサムネイル画像を割り当てて表示を行った場合、カレンダーにおいて撮影されていない日が空欄となって表示され、撮影日が連続していない場合はサムネイル画像の表示も連続されて表示されず、閲覧および検索が困難であった。
【０００５】
すなわち、サムネイル画像を複数のカテゴリに分類して、カテゴリに属するサムネイル画像が全く存在しない空の場合でも、デジタルカメラの液晶モニタには空のカテゴリが表示されてしまい、所望の画像の閲覧および検索が困難となっていた。
【０００６】
本発明は、上記に鑑みてなされたものであって、サムネイル画像をカテゴリごとに連続性をもって表示することができ、サムネイル画像の閲覧および検索を簡易に行うことができる表示装置、表示方法、および表示プログラムを提供することを目的とする。
【課題を解決するための手段】
【０００７】
上述した課題を解決し、目的を達成するために、請求項１にかかる発明は、表示部に情報を表示する表示装置において、入力部からの入力によって、前記表示部に一覧表示可能な、画像データの縮小画像であるサムネイル画像を分類するための前記画像データの属性に基づいたカテゴリの選択を受け付けるカテゴリ選択手段と、前記カテゴリ選択手段によって前記カテゴリの選択を受け付けた場合、前記画像データを保存する記憶部から、前記画像データの属性を参照して、選択された前記カテゴリに対応する属性の前記画像データを抽出する抽出手段と、前記抽出手段によって抽出した前記画像データを、選択された前記カテゴリの前記サムネイル画像として前記表示部に表示するとともに、選択された前記カテゴリの直前または直後のカテゴリの前記サムネイル画像を選択された前記カテゴリに対して隣接する位置に表示するサムネイル画像表示手段と、を備えたことを特徴とする。
【０００８】
また、請求項２にかかる発明は、請求項１に記載の表示装置において、前記サムネイル画像表示手段は、選択された前記カテゴリの直前または直後のカテゴリの代表的な画像である代表サムネイル画像を、前記隣接する位置に表示すること、を特徴とする。
【０００９】
また、請求項３にかかる発明は、請求項２に記載の表示装置において、利用者の選択により、前記代表サムネイル画像を、同一のカテゴリ内の他の前記サムネイル画像に変更する代表画像変更手段と、をさらに備え、前記サムネイル表示手段は、変更された前記代表サムネイル画像を、前記隣接する位置に表示すること、を特徴とする。
【００１０】
また、請求項４にかかる発明は、請求項１に記載の表示装置において、前記サムネイル画像表示手段を備え、情報を円弧状に配置して前記表示部に表示する表示制御手段を、さらに備え、前記入力部は、略円形状の押圧入力が可能に形成されており、前記表示制御手段は、前記情報を、前記入力部からの前記押圧入力による前記略円形状の一部の円弧と相似する円弧状に配置して前記表示部に表示すること、を特徴とする。
【００１１】
また、請求項５にかかる発明は、請求項４に記載の表示装置において、前記サムネイル画像表示手段は、選択された前記カテゴリの前記サムネイル画像を、前記円弧状に配置して前記表示部に表示すること、を特徴とする。
【００１２】
また、請求項６にかかる発明は、請求項４に記載の表示装置において、前記表示制御手段は、メニュー表示手段をさらに備え、前記メニュー表示手段は、前記表示装置の機能設定または機能選択のためのメニュー項目を表示するメニュー画面を、前記円弧状に配置して前記表示部に表示すること、を特徴とする。
【００１３】
また、請求項７にかかる発明は、請求項１に記載の表示装置において、前記表示部に表示可能な全ての情報における、前記表示部に表示されている前記情報の位置を示すポインタを、前記表示部に表示可能な全ての情報の範囲を示すポインタ表示領域に表示するポインタ表示手段と、をさらに備えたこと、を特徴とする。
【００１４】
また、請求項８にかかる発明は、請求項７に記載の表示装置において、前記ポインタ表示領域は、前記表示部に表示可能な同一のカテゴリの全てのサムネイル画像の範囲を示し、前記ポインタ表示手段は、前記カテゴリに属する先頭から最終までの全ての前記サムネイル画像における、前記表示部に表示されている前記サムネイル画像の位置を示す前記ポインタを、前記表示部の前記ポインタ表示領域に表示すること、を特徴とする。
【００１５】
また、請求項９にかかる発明は、請求項７に記載の表示装置において、前記ポインタ表示領域は、前記表示部に表示可能な全てのメニュー項目の範囲を示し、前記ポインタ表示手段は、前記全ての前記メニュー項目における、前記表示部に表示されている前記メニュー項目の位置を示す前記ポインタを、前記表示部の前記ポインタ表示領域に表示すること、を特徴とする。
【００１６】
また、請求項１０にかかる発明は、請求項６に記載の表示装置において、前記入力部は、タッチ操作による前記押圧入力が可能であり、前記入力部から連続する前記押圧入力があった場合に、押圧位置の移動を検出する検出手段と、を更に備えたこと、を特徴とする。
【００１７】
また、請求項１１にかかる発明は、請求項１０に記載の表示装置において、前記サムネイル画像表示手段は、前記検出手段による前記略円形状の一周に相当する前記押圧位置の移動の検出に対して、選択された前記カテゴリの前記サムネイル画像を先頭から最終まで連続して移動表示すること、を特徴とする。
【００１８】
また、請求項１２にかかる発明は、請求項１０に記載の表示装置において、前記メニュー表示手段は、前記検出手段による前記略円形状の一周に相当する前記押圧位置の移動の検出に対して、前記メニュー項目を先頭から最終まで連続して移動表示すること、を特徴とする。
【００１９】
また、請求項１３にかかる発明は、請求項１に記載の表示装置において、前記カテゴリは、前記画像データを前記記憶部に保存した日付を含み、前記直前のカテゴリは、前記画像データを前記記憶部に保存した日付であって、選択された日付の直前の日付であり、前記直後のカテゴリは、前記画像データを前記記憶部に保存した日付であって、選択された日付の直後の日付であること、を特徴とする。
【００２０】
また、請求項１４にかかる発明は、請求項１に記載の表示装置において、前記画像データは、Exif（Exchangeable Image File Format）情報が付加されており、前記抽出手段は、前記カテゴリ選択手段によって前記カテゴリの選択を受け付けた場合、前記記憶部から、前記Exif情報を参照して、選択された前記カテゴリに対応する前記Exif情報の属性の前記画像データを抽出することを特徴とする。
【００２１】
また、請求項１５にかかる発明は、請求項１０に記載の表示装置において、前記入力部は、前記押圧入力による静電容量の変化を検知する静電部材を含むこと、を特徴とする。
【００２２】
また、請求項１６にかかる発明は、表示部に情報を表示する表示装置で実行される表示方法において、入力部からの入力によって、前記表示部に一覧表示可能な、画像データの縮小画像であるサムネイル画像を分類するための前記画像データの属性に基づいたカテゴリの選択を受け付けるカテゴリ選択ステップと、前記カテゴリ選択ステップによって前記カテゴリの選択を受け付けた場合、前記画像データを保存する記憶部から、前記画像データの属性を参照して、選択された前記カテゴリに対応する属性の前記画像データを抽出する抽出ステップと、前記抽出ステップによって抽出した前記画像データを、選択された前記カテゴリの前記サムネイル画像として前記表示部に表示するとともに、選択された前記カテゴリの直前または直後のカテゴリの前記サムネイル画像を選択された前記カテゴリに対して隣接する位置に表示するサムネイル画像表示ステップと、を含むことを特徴とする。
【００２３】
また、請求項１７にかかる発明は、請求項１６に記載された表示方法をコンピュータに実行させることを特徴とする表示プログラムである。
【発明の効果】
【００２４】
本発明によれば、選択されたカテゴリのサムネイル画像を表示するとともに、選択されたカテゴリの直前または直後のカテゴリのサムネイル画像を、選択されたカテゴリに隣接する位置に表示するため、サムネイル画像をカテゴリごとに連続性をもって表示でき、サムネイル画像の閲覧および検索を簡易に行うことができるという効果を奏する。
【００２５】
また、本発明によれば、選択されたカテゴリの直前または直後のカテゴリの代表サムネイル画像を、選択されたカテゴリに隣接する位置に表示するため、選択されたカテゴリのサムネイル画像の表示とともに、直前または直後のカテゴリの代表サムネイル画像を確認することができる。また、本発明によれば、代表サムネイル画像を同一カテゴリ内の他のサムネイル画像に変更するため、カテゴリに関連する画像を代表サムネイル画像として表示でき、さらに検索性を向上させることができるという効果を奏する。
【００２６】
また、本発明によれば、メニュー画面やサムネイル画像を、入力部からの押圧入力による略円形状の一部の円弧と相似する円弧状に配置して表示するため、利用者の入力操作の軌跡と関連性を持たせてメニュー画面やサムネイル画像を表示でき、入力操作と表示されたメニュー画面やサムネイル画像等の表示動作との関係を簡易に理解でき、的確な操作を促すことができるという効果を奏する。
【００２７】
また、本発明によれば、メニュー画面やサムネイル画像の位置を示すポインタを表示するため、表示されているメニュー項目やサムネイル画像の位置を把握することができ、閲覧および検索を簡易に行うことができるという効果を奏する。
【００２８】
また、本発明によれば、画像データは、Exif（Exchangeable Image File Format）情報が付加されており、前記カテゴリの選択を受け付けた場合、前記記憶部から、前記Exif情報を参照して、選択された前記カテゴリに対応する前記Exif情報の属性の前記画像データを抽出することで、共通規格であるExifを利用して、既存の情報を利用してサムネイル画像の分類を行うことができるという効果を奏する。
【発明を実施するための最良の形態】
【００２９】
以下に添付図面を参照して、この発明にかかる表示装置、表示方法、および表示プログラムの最良な実施の形態を詳細に説明する。本実施の形態は、本発明にかかる表示装置、表示方法、および表示プログラムをデジタルカメラの操作部および液晶表示部（液晶モニタ）に適用したものである。なお、本発明は、デジタルカメラに適用することに限定されるものではなく、例えば、音楽・映像携帯プレーヤ等、表示および入力を行う装置であればいずれの装置にも適用することができる。
【００３０】
（第１の実施の形態）
図１は、第１の実施の形態にかかるデジタルカメラの背面図である。デジタルカメラ１００の背面には、図１に示すように、液晶モニタ１２０（表示部）と、タッチ入力部１１０（入力部）が配置されている。
【００３１】
液晶モニタ１２０は、デジタルカメラ１００で撮像した画像データ、一覧表示可能な画像データの縮小画像であるサムネイル画像、撮影のための機能設定または機能選択のためのメニュー項目や該メニュー項目における各種設定内容の項目であるサブメニュー項目を表示するメニュー画面、表示されているサムネイル画像の位置やメニュー項目、サブメニュー項目の位置を示す表示ポインタおよびその表示領域を表示するモニタである。図１における液晶モニタ１２０は、メニュー画面が表示された状態の一例を示している。
【００３２】
タッチ入力部１１０は、メニュー画面やサムネイル画像の表示の指示入力、各メニュー項目および各メニュー項目におけるサブメニュー項目の表示の指示入力、サブメニュー項目における設定内容の選択や設定のための指示入力、サムネイル画像の選択や移動表示のための指示入力等を、タッチ入力操作で行うものである。タッチ入力部１１０は、図１に示すように、デジタルカメラ１００を利用者が保持した場合における利用者の右手親指位置の近傍に設けられている。このため、親指の大きい利用者でも誤操作の可能性が低減する。なお、タッチ入力操作としては、利用者がタッチ入力部１１０の入力面（静電パッド）に指をタッチして入力する操作の他、タッチペンなどの入力補助具を入力面にタッチして入力する操作も含まれる。
【００３３】
タッチ入力部１１０には、選択されているメニュー項目を視覚的に示す４個のＬＥＤ（Light Emitting Diode）１１１が四隅に埋め込まれている。４個のＬＥＤ１１１は、それぞれメニューの各項目に対応して設けられている。図１のタッチ入力部１１０における左上のＬＥＤ１１１（ＡＤＪ）は、利用者が好んで使用するメニューを液晶モニタ１２０に表示するアジャストメニュー、右上のＬＥＤ１１１はマクロ撮影メニュー、左下のＬＥＤ１１１はフラッシュのメニュー、右下のＬＥＤ１１１はタイマーのメニューにそれぞれ対応する。
【００３４】
そして、タッチ入力部１１０の中央部にある円形状の「ＭＥＮＵ」部分を押下して、その後それぞれのＬＥＤ１１１の位置でタッチ入力部１１０を押下することにより、対応するメニュー画面が液晶モニタ１２０に表示されるとともに、押下した位置のＬＥＤ１１１（すなわち、押下したメニュー項目に対応するＬＥＤ１１１）が点灯するようになっている。
【００３５】
次に、タッチ入力部１１０の詳細な構造について説明する。図２は、タッチ入力部１１０の部材構成を示す分解斜視図である。図３は、タッチ入力部１１０の構造を示す断面図である。
【００３６】
タッチ入力部１１０は、図２および図３に示すように、基板１１６上にセンサ１１５を介してタクトスイッチ１１４が設けられ、このタクトスイッチ１１４が支持部材１１３に連結されている。そして、支持部材１１３上に静電パッド１１２が装着されている。
【００３７】
静電パッド１１２は、タッチ入力部１１０の表面に現れ、ＬＥＤ１１１が埋め込まれている。この静電パッド１１２は、利用者がその表面を基板１１６方向に押下または押圧すると、その表面が変形するが、表面の変更に伴う電容量の変化を検出し、変形した静電パッド１１２上の位置と静電容量の変化量を示す第１検知信号を出力するものである。静電パッド１１２には、電極（図示せず）が設けられており、かかる電極によって静電容量の変化量と変形位置を検出して第１検知信号として出力している。静電パッド１１２の電極は、この第１検知信号を送出するため、制御コントローラのＡ／Ｄ変換器１５（後述する）に接続されている。
【００３８】
タクトスイッチ１１４は、利用者によって静電パッド１１２の四隅のＬＥＤ１１１または中央部の「ＭＥＮＵ」部分（図１参照）が押下された場合に、その押下を検出するスイッチである。静電パッド１１２が押下されると、押下による圧力は支持部材１１３を介してタクトスイッチ１１４に伝達される。タクトスイッチ１１４の下部には端子が内蔵されており、静電パッド１１２が押下されると、この端子の動きをセンサ１１５が感知して、押下された旨を示す第２検知信号を制御コントローラに出力する。このため、このセンサ１１５も制御コントローラのＡ／Ｄ変換器１５に接続されている。
【００３９】
なお、タッチ入力部１１０の中央部や、その周りのいずれかの位置が押下されたかは、この第２検知信号と静電パッド１１２の電極から出力される第１検知信号（変形位置と静電容量の変化量の信号）とによって制御コントローラで検知される。
【００４０】
次に、デジタルカメラのハードウェア構成について説明する。図４は、第１の実施の形態にかかるデジタルカメラのハードウェア構成図である。図４に示すように被写体光は、まずデジタルカメラ１００の撮像光学系１を通してＣＣＤ（Charge Coupled Device）３に入射される。また、撮像光学系１とＣＣＤ３との間は、メカシャッタ２が配置されており、このメカシャッタ２によりＣＣＤ３への入射光を遮断することができる。なお、撮像光学系１及びメカシャッタ２は、モータドライバ６より駆動される。
【００４１】
ＣＣＤ３は、撮像面に結像された光学像を電気信号に変換して、アナログの画像データとして出力する。ＣＣＤ３から出力された画像情報は、ＣＤＳ（Correlated Double Sampling:相関２重サンプリング）回路４によりノイズ成分を除去され、Ａ／Ｄ変換器５によりデジタル値に変換された後、制御コントローラの画像表示回路８に対して出力される。
【００４２】
ここで、制御コントローラは、画像表示回路８、ＣＰＵ（Central Processing Unit）９、ＲＡＭ（Random Access Memory）１０、ＲＯＭ（Read Only Memory）１１、ＳＤＲＡＭ（SynchronousＤＲＡＭ）１２、圧縮伸長回路１３、外部メモリ１４、Ａ／Ｄ変換器１５をバスライン１６によって接続したものである。ＣＰＵ９はプログラムに従って各種演算処理を行うものである。ＲＯＭ１１はプログラムなどを格納した読み出し専用メモリであり、ＲＡＭ１０は各種の処理過程で利用するワークエリアや各種データ格納エリアなどを有する読み出し書き込み自在のメモリである。
【００４３】
画像表示回路８は、画像データを一時格納するＳＤＲＡＭ１２を用いて、ＹＵＶ変換処理や、ホワイトバランス制御処理、コントラスト補正処理、エッジ強調処理、色変換処理などの各種画像処理を行う。なお、ホワイトバランス処理は、画像データの色濃さを調整し、コントラスト補正処理は、画像データのコントラストを調整する画像処理である。エッジ強調処理は、画像データのシャープネスを調整し、色変換処理は、画像データの色合いを調整する画像処理である。また、画像表示回路８は、信号処理や画像処理が施された画像データやサムネイル画像、各種メニュー項目、各種サブメニュー項目等を液晶モニタ１２０に表示する。
【００４４】
また、信号処理、画像処理が施された画像データは、圧縮伸長回路１３を介して、外部メモリ１４に記録される。上記圧縮伸長回路１３は、Ａ／Ｄ変換器１５を介して入力部１１０から取得した指示によって、画像表示回路８から出力される画像データを圧縮して外部メモリ１４に出力すると共に、外部メモリ１４から読み出した画像データを伸長して画像表示回路８に出力する回路である。
【００４５】
また、ＣＣＤ３、ＣＤＳ回路４、およびＡ／Ｄ変換器５は、タイミング信号を発生するタイミング信号発生器７を介してＣＰＵ９によって、タイミングが制御されている。さらに、画像表示回路８、圧縮伸長回路１３、外部メモリ１４も、ＣＰＵ９によって制御されている。
【００４６】
タッチ入力部１１０は、静電パッド１１２から出力された第１検知信号およびタクトスイッチ１１４に伝達された圧力を感知したセンサ１１５から出力された第２検知信号をＡ／Ｄ変換してデジタル信号を出力するＡ／Ｄ変換器１５に接続されており、このＡ／Ｄ変換器１５は、バスライン１６に接続されている。
【００４７】
なお、以下において、Ａ／Ｄ変換後のデジタルの第１検知信号を単に第１検知信号といい、Ａ／Ｄ変換後のデジタルの第２検知信号を単に第２検知信号という。
【００４８】
次に、液晶モニタ１２０に表示される表示ポインタと、タッチ入力部１１０に対するタッチ入力操作との関係について、図５−１、５−２を参照して説明する。図５−１は、液晶モニタに表示された表示ポインタを説明するための図である。液晶モニタ１２０には、メニュー項目、サブメニュー項目、およびサムネイル画像を表示するための情報表示領域１２３と、円弧状のポインタ表示領域１２１が表示され、ポインタ表示領域１２１に表示ポインタ１２２が表示される。
【００４９】
ポインタ表示領域１２１は、液晶モニタ１２０に表示可能な全ての情報の量の範囲、例えば、メニュー項目やサブメニュー項目の全項目数やサムネイル画像の画像数の範囲を示している。、具体的には、ポインタ表示領域１２１では、図５−１の円弧Ａ〜Ｂが、かかる全ての情報の量（メニュー項目やサブメニュー項目の全項目数やサムネイル画像の画像数の範囲）の範囲を示し、後述する表示制御部によって、この円弧Ａ〜Ｂの範囲内を表示ポインタ１２２が円弧状に沿って移動して表示されるようになっている。
【００５０】
表示ポインタ１２２は、メニュー項目やサブメニュー項目、サムネイル画像等の情報の全情報範囲、すなわち全メニュー項目や全サブメニュー項目、全サムネイル画像の先頭から最後までの全範囲に対する情報表示領域１２３に表示されているメニュー項目やサブメニュー項目、サムネイル画像等の情報の位置を示すものである。
【００５１】
すなわち、ポインタ表示領域１２１の円弧Ａ〜Ｂを全範囲として、表示ポインタ１２２の円弧Ａ〜Ｂの範囲内の位置により、現在、情報表示領域１２３に表示されているメニュー項目やサブメニュー項目、サムネイル画像等の情報の位置を示している。例えば、ある撮影日のサムネイル画像が情報表示領域１２３に表示されている場合において、ポインタ表示領域１２１の円弧Ａ〜Ｂの上端から下方１／３の位置に表示ポインタ１２２が表示されている場合には、同じ撮影日の全サムネイル画像の中で、サムネイル画像の撮影時間の最も早い先頭の画像から１／３の位置のサムネイル画像が情報表示領域１２３に表示されていることを示している。また、メニュー項目が液晶モニタ１２０に表示されている場合において、ポインタ表示領域１２１の円弧Ａ〜Ｂの上端から下方１／４の位置に表示ポインタ１２２が表示されている場合には、全メニュー項目の先頭から１／４の位置にあるメニュー項目が情報表示領域１２３に表示されていることを示している。
【００５２】
図５−２は、タッチ入力部に対するタッチ入力操作を説明するための図である。タッチ入力部１１０は、上述したように、四隅にＬＥＤ１１１と中央部に円形状の「ＭＥＮＵ」部分とが表示されている。そして、タッチ入力部１１０は、「ＭＥＮＵ」部分の周りの静電パッド１１２を押圧入力することが可能となっており、例えば、図示した矢印のような略円形状の押圧入力が可能となっている。また、図５−２に対して、「ＭＥＮＵ」部分の上側領域ｆ、下側領域ｅ、左側領域ｄ、右側領域ｃは、それぞれ押下入力が可能となっている。
【００５３】
表示ポインタ１２２とタッチ入力操作との関係とは、タッチ入力部１１０の静電パッド１１２に対して、ａからｂへの矢印方向に略円形状の一周に相当する押圧入力（指によるタッチ入力操作）がなされた場合（図５−２参照）、表示制御部によって、液晶モニタ１２０の表示ポインタ１２２がＡからＢへの矢印方向に移動しながら表示される（図５−１参照）。つまり、タッチ入力部１１０のａからｂへの矢印一周に対応して、表示制御部によって、表示ポインタ１２２がＡからＢへ円弧状に移動する。また、逆方向、すなわちタッチ入力部１１０のｂからａへの矢印の逆方向の一周に対応して、表示制御部によって、表示ポインタ１２２がＢからＡへ円弧状に移動することもできる。
【００５４】
具体的には、例えば、メニュー画面において１０個のメニュー項目が情報表示領域１２３に表示可能であったとすると、表示ポインタ１２２が図５−１のＡに表示されている場合は、表示制御部によって、先頭のメニュー項目である１個目のメニュー項目が液晶モニタ１２０に表示される。そして、タッチ入力部１１０からのタッチ入力操作による押圧がＡからなされてＢまで達すると（図５−２参照）、表示制御部によって、表示ポインタ１２２が図５−１のＡからＢに移動して表示されて、この場合は、２個目、３個目と順にメニュー項目が表示され、表示ポインタ１２２がＢに表示されたときに最終のメニュー項目であるの１０個目のメニュー項目が情報表示領域１２３に表示されることになる。なお、タッチ入力部１１０に対して略円形状の押圧入力だけでなく、上側領域ｆや下側領域ｅの押下入力によっても表示ポインタ１２２の移動表示が可能である。
【００５５】
次に、デジタルカメラ１００の機能的構成について説明する。図６は、第１の実施の形態にかかるデジタルカメラの構成を示すブロック図である。図６に示すように、デジタルカメラ１００は、画像表示回路８と、ＲＯＭ１１と、ＳＤＲＡＭ１２と、外部メモリ１４と、Ａ／Ｄ変換器１５と、位置移動検出部２０１と、カテゴリ選択部２０２と、抽出部２０３と、テーブル生成部２０４と、表示制御部２１０とを主に備えている。
【００５６】
画像表示回路８は、液晶モニタ１２０への画像データ、各種メニュー画面やサムネイル画像の表示を行うものである。
【００５７】
ＲＯＭ１１は、デジタルカメラ１００で実行されるプログラムなどを保存するメモリ等の記憶媒体である。また、ＲＯＭ１１は、デジタルカメラ１００の液晶モニタ１２０に表示するメニュー画面におけるメニュー項目や各種サブメニュー項目等を登録したメニュー項目テーブルを保存する。
【００５８】
ここで、ＲＯＭ１１に保存されたメニュー項目テーブルの詳細について説明する。図７は、ＲＯＭに保存されたメニュー項目テーブルの一例を示す説明図である。図７に示すように、メニュー項目テーブルには、「シャープネス」「測光方式」等の液晶モニタ１２０に表示するメニュー画面におけるメニュー項目群３１１が登録されている。そして、各種メニュー項目に対して、「標準」「ソフト」等のメニュー項目ごとの機能設定を行うサブメニュー項目群３１２、３１３が登録されている。そして、メニュー項目テーブルは、そのメニュー項目群３１１において、液晶モニタ１２０に表示され、表示ポインタ１２２（図５−１参照）で選択されるメニュー項目のメニュー項目群３１１の先頭からの位置を示す内部ポインタ３０１を保持している。また、メニュー項目テーブルは、サブメニュー項目群において、表示ポインタ１２２で選択されるサブメニュー項目群３１２、３１３の先頭からの位置を示す内部ポインタ３０２、３０３をそれぞれ保持している。そして、表示制御部によって、この内部ポインタ３０１のメニュー項目群のテーブル上での位置に対応したポインタ表示領域１２１上の位置に、表示ポインタ１２２が表示され、、内部ポインタ３０２、３０３の各サブメニュー項目群３１２，３１３のテーブル上での位置に対応したポインタ表示領域１２４（図１１参照）上の位置に、表示ポインタ１２５が表示されるようになっている。
【００５９】
外部メモリ１４は、デジタルカメラ１００で撮影された画像データを保存するメモリカード等の記憶媒体である。また、各画像データは、画像ファイルの規格であるExif（Exchangeable Image File Format）が利用されており、液晶モニタ１２０に一覧表示が可能であって、画像データの縮小画像であるサムネイル画像と、液晶モニタ１２０に表示されるサムネイル画像を分類するための画像データの属性とを含むExif情報が付加されて保存されている。
【００６０】
ここで、外部メモリ１４に保存された、サムネイル画像や画像データの属性を含むExif情報（Ｅｘｉｆヘッダ）が付加された画像データについて説明する。図８は、外部メモリに保存された画像データの一例を示す説明図である。図８に示すように、画像データ「Ｐ１０００３１２．ｊｐｇ」には、液晶モニタ１２０に表示される画像である画像データと、Exif情報であるサムネイル画像と、「撮影日時：２００６．０３．２６」「ＩＳＯ感度：ＩＳＯ４００」等、撮影日時やＩＳＯ感度などの画像データの属性とが保存されている。なお、図８では、Ｅｘｉｆ情報として本実施の形態に必要な属性のみを示している。
【００６１】
ＳＤＲＡＭ１２は、テーブル生成部２０４によって生成された選択画像データテーブルを保存するメモリ等の記憶媒体である。選択画像データテーブルとは、利用者により選択されたカテゴリに対応する画像データを、外部メモリ１４に保存されている全ての画像データの中から選択したものを登録することで生成されたテーブルである。なお、カテゴリとは、液晶モニタ１２０に表示するサムネイル画像を、画像データの属性である「撮影日時」「ＩＳＯ感度」等を参照して分類された表示タイプうちの一項目である「２００６．０３．２６」「ＩＳＯ４００」等を示す。
【００６２】
ここで、ＳＤＲＡＭ１２に保存された選択画像データテーブルについて説明する。図９は、ＳＤＲＡＭ１２に保存された選択画像データテーブルの一例を示す説明図である。図９の選択画像データテーブルは、例えば、「撮影日時」である２００６年３月２６日のカテゴリのサムネイル画像を表示する場合を示しており、カテゴリ「２００６．０３．２６」に対応する「Ｐ１０００３１１．ｊｐｇ」「Ｐ１０００３１２．ｊｐｇ」「Ｐ１０００４２１．ｊｐｇ」等の画像データの識別情報が登録されている。そして、選択画像データテーブルは、液晶モニタ１２０に表示され、表示ポインタ１２２（図５−１参照）で選択されるサムネイル画像の選択画像データテーブルの先頭からの位置を示す内部ポインタ３０４を保持している。そして、表示制御部によって、この内部ポインタ３０４の選択画像データテーブル上での位置に対応したポインタ表示領域１２１上の位置に、表示ポインタ１２２が表示されるようになっている。
【００６３】
Ａ／Ｄ変換器１５は、タッチ入力部１１０から出力された第１検知信号および第２検知信号（図４参照）を、アナログ信号からデジタル信号に変換して、位置移動検出部２０１に送出するものである。
【００６４】
位置移動検出部２０１は、静電パッド１１２に押下入力があった場合に、第１検知信号（静電パッド１１２の変形位置と静電容量の変化量）と第２検知信号（押下）と押下位置の静電パッド１１２上での位置座標を算出し、算出された位置座標を絶対位置として検出するものである。また、位置移動検出部２０１は、第１検知信号が連続して出力された場合、連続する静電パッド１１２に対する押圧入力があったと判断して、第２検知信号が示す静電パッド１１２の変形位置と静電容量の変化量から、連続されて押圧された位置の位置座標をそれぞれ算出する。そして、その位置座標の変化を求めて利用者による押圧位置の移動量および移動方向を算出し、さらに、位置座標の移動と移動時間とから押圧位置の移動速度および移動方向を算出する。
【００６５】
また、位置移動検出部２０１は、算出した押圧位置の移動量および移動方向から、メニュー項目テーブルにおける内部ポインタや選択画像データテーブルにおける内部ポインタの位置を移動する。
【００６６】
すなわち、位置移動検出部２０１は、内部ポインタ３０１のメニュー項目群３１１における現在の位置、および内部ポインタ３０２，３０３のサブメニュー項目群３１２，３１３それぞれにおける現在の位置をメモリ等に逐次保存しておく。そして、位置移動検出部２０１は、メニュー項目テーブルのメニュー項目群３１１、サブメニュー項目群３１２，３１３それぞれの全項目数の移動量を図５−２の点ａからｂまでの一周の移動量とした上で、算出された押圧位置の移動方向によってメニュー項目群３１１、サブメニュー項目群３１２，３１３それぞれにおける走査方向（先頭方向か末尾方向か）を決定し、さらに算出された移動量と上記１周分の移動量の割合から、内部ポインタ３０１，３０２，３０３が現在位置の項目から移動するメニュー項目群３１１，サブメニュー項目群３１２，３１３の項目数を求める。
【００６７】
また、位置移動検出部２０１は、内部ポインタ３０４の選択画像データテーブルにおける現在の位置をメモリ等に逐次保存しておく。位置移動検出部２０１は、選択されたカテゴリの選択画像データテーブルの全画像数の移動量を図５−２の点ａからｂまでの一周の移動量とした上で、算出された押圧位置の移動方向によって選択画像データテーブルの走査方向を決定し、さらに算出された移動量と上記１周分の移動量の割合から、内部ポインタ３０４が現在位置の画像から移動する選択画像データテーブルの画像数を求める。
【００６８】
カテゴリ選択部２０２は、利用者によるタッチ入力操作による押圧入力または押下入力によって、タッチ入力部１１０から液晶モニタ１２０に表示させるサムネイル画像を分類するためのカテゴリの選択を受け付けるものである。
【００６９】
抽出部２０３は、カテゴリ選択部２０２によってカテゴリの選択を受け付けた場合、外部メモリ１４から画像データに付加された画像データの属性を参照して、選択されたカテゴリに対応する属性の画像データを抽出するものである。
【００７０】
テーブル生成部２０４は、抽出部２０３によって抽出された画像データの識別情報を登録した選択画像データテーブル（図９参照）を生成し、ＳＤＲＡＭ１２に一時的に保存するものである。
【００７１】
表示制御部２１０は、液晶モニタ１２０（図４参照）に情報を表示する制御を行うものであり、さらに、ポインタ表示部２１１と、メニュー表示部２１２と、サムネイル画像表示部２１３とを主に備えている。
【００７２】
ポインタ表示部２１１は、液晶モニタ１２０に表示されている情報の位置を示す表示ポインタ１２２を、液晶モニタ１２０に表示可能な全ての情報の範囲を示すポインタ表示領域１２１に表示するものである（図５−１参照）。具体的には、液晶モニタ１２０にメニュー画面が表示されている場合、液晶モニタ１２０に表示可能なメニュー画面の全てのメニュー項目やサブメニュー項目において、表示されているメニュー項目やサブメニュー項目の位置を示す表示ポインタ１２２を、メニュー項目テーブルのメニュー項目群３１１、サブメニュー項目群３１２，３１３（図７参照）の内部ポインタ３０１、３０２，３０３を参照して、液晶モニタ１２０に表示可能な全てのメニュー項目やサブメニュー項目の範囲を示したポインタ表示領域１２１に表示する。具体的には、ポインタ表示部２１１は、内部ポインタ３０１のメニュー項目群３１１上での位置に対応したポインタ表示領域１２１上の位置に、表示ポインタ１２２を表示し、内部ポインタ３０２、３０３のサブメニュー項目群３１２、３１３上での位置に対応したポインタ表示領域１２４上の位置に、表示ポインタ１２５を表示する。
【００７３】
また、液晶モニタ１２０に選択されたカテゴリのサムネイル画像が表示されている場合、選択されたカテゴリに属する先頭から末尾までの全てのサムネイル画像において、表示されているサムネイル画像の位置を示す表示ポインタ１２２を、選択画像データテーブル（図９参照）の内部ポインタを参照して、液晶モニタ１２０に表示可能な同一のカテゴリの全てのサムネイル画像の範囲を示したポインタ表示領域１２１に表示する。具体的には、ポインタ表示部２１１は、内部ポインタ３０４の選択画像データテーブル上での位置に対応したポインタ表示領域１２１上の位置に、表示ポインタ１２２を表示する。
【００７４】
メニュー表示部２１２は、デジタルカメラ１００の撮影における機能設定または機能選択のためのメニュー項目やサブメニュー項目を表示するためのメニュー画面を、液晶モニタ１２０に表示するものである。そして、メニュー表示部２１２は、利用者によってタッチ入力部１１０からの略円形状の押圧入力がなされた場合における、その略円形状の一部の円弧と相似する円弧状にメニュー項目やサブメニュー項目を配置したメニュー画面を液晶モニタ１２０に表示する。また、メニュー表示部２１２は、位置移動検出部２０１による略円形状の一周に相当する押圧位置の移動の検出に対して、メニュー項目やサブメニュー項目を先頭から最終まで連続して移動させて表示する。従って、メニュー表示部２１２は、位置移動検出部２０１による押圧位置の移動の検出に伴って、メニュー項目やサブメニュー項目を移動させて表示する。
【００７５】
サムネイル画像表示部２１３は、ＳＤＲＡＭ１２に保存されている選択画像データテーブルに登録されている画像データの識別情報に対応する画像データを、外部メモリ１４に保存されている画像データの中から取得し、利用者により選択されたカテゴリのサムネイル画像として液晶モニタ１２０に表示するものである。また、サムネイル画像表示部２１３は、選択されたカテゴリの直前または直後のカテゴリの代表的な画像である代表サムネイル画像を、選択されたカテゴリに対して隣接する位置に表示する。そして、サムネイル画像表示部２１３は、利用者によってタッチ入力部１１０からの略円形状の押圧入力がなされた場合における、その略円形状の一部の円弧と相似する円弧状にサムネイル画像のそれぞれを配置して液晶モニタ１２０に表示する。また、サムネイル画像表示部２１３は、位置移動検出部２０１による略円形状の一周に相当する押圧位置の移動の検出に対して、選択されたカテゴリのサムネイル画像を先頭から最終まで連続して移動させて表示する。従って、サムネイル画像表示部２１３は、位置移動検出部２０１による押圧位置の移動の検出に伴って、サムネイル画像を移動させて表示する。
【００７６】
例えば、サムネイル画像表示部２１３は、選択されたカテゴリが、画像データの属性である撮影日時のうちの２００６年３月２６日に撮影された「２００６．０３．２６」（選択日）であった場合、選択日に属するサムネイル画像を液晶モニタ１２０の中央に表示する。この選択日のサムネイル画像は、タッチ入力部１１０からの押圧入力により先頭から最終まで連続して移動し、選択日の全てのサムネイル画像が閲覧可能な状態となっている。そして、サムネイル画像表示部２１３は、選択日に属するサムネイル画像の左側に、選択日以前の最後の撮影日（選択日直前の撮影日）の代表サムネイル画像を表示し、選択日に属するサムネイル画像の右側に、選択日以降の最初の撮影日（選択日直後の撮影日）の代表サムネイル画像を表示する。
【００７７】
ここで、従来のデジタルカメラ等の表示装置において、表示部に表示されるメニュー画面やサムネイル画像などの画面デザインは、入力操作を行う入力部（ハードウェア）の操作部形状もしくは動作の軌跡と関連性のある形状をしておらず、利用者は、入力部の操作を行いながら、表示部に表示された情報（メニュー画面やサムネイル画像等）と操作部の入力操作の動作との関係性を理解する必要があった。本実施の形態のデジタルカメラ１００では、利用者のタッチ入力部１１０の入力操作の動作の軌跡と関連性のある円弧状などの形状でメニュー画面やサムネイル画像を表示するものである。これによって、利用者の指等による入力操作の動作と、液晶モニタ１２０に表示されたメニュー画面やサムネイル画像等の表示動作との関係を簡易に理解でき、的確な操作を促すことができる。
【００７８】
次に、以上のように構成された本実施の形態にかかるデジタルカメラによるメニュー画面表示処理について説明する。図１０は、第１の実施の形態のメニュー画面表示処理の手順を示すフローチャートである。
【００７９】
まず、利用者によりタッチ入力部１１０からメニュー画面の表示の指示入力がなされると、位置移動検出部２０１は、タッチ入力部１１０からの押圧入力により押圧位置、押圧位置の移動量および移動方向を求め、求めた押圧位置の移動量と移動方向に応じて、上述したように、メニュー項目テーブルのメニュー項目における内部ポインタの位置を移動する（ステップＳ５１）。
【００８０】
ポインタ表示部２１１は、液晶モニタ１２０のポインタ表示領域１２１において、メニュー項目テーブルに保持された内部ポインタが示すメニュー項目の位置に対応した位置に、表示ポインタ１２２を表示する。また、メニュー表示部２１２は、液晶モニタ１２０の情報表示領域１２３にメニュー項目を配置したメニュー画面を表示する（ステップＳ５２）。なお、メニュー画面以外の他の画面からメニュー画面の表示の指示入力がなされた場合、すなわち、液晶モニタ１２０に新たにメニュー画面を表示する場合、内部ポインタはメニュー項目の最初の項目の位置を示して保持されているものとする。
【００８１】
ここで、図１を参照して、メニュー画面の詳細を説明する。図１の液晶モニタ１２０に示すように、メニュー画面には、「シャープネス」「側光方式」等のメニュー項目が、円弧状に表示され、図１では、「シャープネス」の機能設定が行える状態として、「シャープネス」が中央に表示されている。そして、各メニュー項目の右側には、それぞれのメニュー項目において現在設定されている機能である「標準」「マルチ」等が表示されている。また、メニュー画面の円弧状の部分のポインタ表示領域１２１には、表示ポインタ１２２が表示されており、全てのメニュー項目における「シャープネス」の項目の位置を示している。
【００８２】
次に、位置移動検出部２０１は、タッチ入力部１１０より「ＭＥＮＵ」部分の押下入力があったか否かの判断をする（ステップＳ５３）。「ＭＥＮＵ」部分の押下入力があった場合（ステップＳ５３：Ｙｅｓ）、中央に表示されているメニュー項目が選択されたことになり、メニュー表示部２１２は、液晶モニタ１２０の情報表示領域１２３に、その選択されたメニュー項目の機能設定を行うサブメニュー項目が配置されたメニュー画面を表示する（ステップＳ５４）。また、ポインタ表示部２１１は、液晶モニタ１２０のポインタ表示領域１２１において、メニュー項目テーブルに保持された内部ポインタが示すサブメニュー項目の位置に対応した位置に、表示ポインタ１２５（図１１参照）を表示する（ステップＳ５４）。
【００８３】
ここで、液晶モニタ１２０の情報表示領域１２３に表示されたメニュー画面において、サブメニュー項目が表示された場合について説明する。図１１は、サブメニュー項目を配置したメニュー画面を表示したデジタルカメラの背面図である。図１１に示すように、中央に「シャープネス」のメニュー項目が表示された場合に「ＭＥＮＵ」部分が押下入力されると、「シャープネス」のメニュー項目の機能設定を行う各種サブメニュー項目である「標準」「シャープ弱」「ソフト」等がメニュー項目と同様に円弧状に表示される。そして、図１１では、サブメニュー項目の「標準」の機能設定が確定できる状態として、「標準」が中央に表示されている。また、メニュー画面の円弧状の部分のポインタ表示領域１２４には、表示ポインタ１２５が表示されており、全てのサブメニュー項目における「標準」の項目の位置を示している。
【００８４】
そして、位置移動検出部２０１は、タッチ入力部１１０より「ＭＥＮＵ」部分の押下入力があったか否かの判断をする（ステップＳ５５）。「ＭＥＮＵ」部分の押下入力があった場合（ステップＳ５５：Ｙｅｓ）、選択されたメニュー項目において、中央に表示されているサブメニュー項目の機能が設定され（ステップＳ５６）、再度ステップＳ５１の処理を繰り返す。図１１を参照して例えると、メニュー項目の「シャープネス」がサブメニュー項目の「標準」に設定される。
【００８５】
一方、ステップＳ５５において、「ＭＥＮＵ」部分の押下入力がなかった場合（ステップＳ５５：Ｎｏ）、位置移動検出部２０１は、タッチ入力部１１０の静電パッド１１２に押圧入力があったか否かの判断をする（ステップＳ５７）。押圧入力がなかった場合は（ステップＳ５７：Ｎｏ）、再度ステップＳ５５の処理を繰り返す。一方、押圧入力があった場合（ステップＳ５７：Ｙｅｓ）、位置移動検出部２０１は、押圧入力により移動した押圧位置と移動方向を検出する（ステップＳ５８）。そして、位置移動検出部２０１は、タッチ入力部１１０からの押圧入力により検出した押圧位置と移動方向によって押圧位置の移動量を算出し、移動方向と算出した移動量によって、メニュー項目テーブルのサブメニュー項目における内部ポインタの位置を移動する（ステップ５９）。
【００８６】
そして、ポインタ表示部２１１は、液晶モニタ１２０のポインタ表示領域１２４において、メニュー項目テーブルに保持された内部ポインタが示すサブメニュー項目の位置に対応した位置に、表示ポインタ１２５を移動して表示する。また、メニュー表示部２１２は、液晶モニタ１２０の情報表示領域１２３にサブメニュー項目を移動して配置したメニュー画面を表示する（ステップＳ６０）。
【００８７】
次に、位置移動検出部２０１は、メニュー項目の表示に戻る旨の入力がされたか否かの判断をする（ステップＳ６１）。メニュー項目の表示に戻らない旨の入力がされた場合（ステップＳ６１：Ｎｏ）、再度ステップＳ５５に戻って処理を繰り返す。一方、メニュー項目の表示に戻る旨の入力がされた場合（ステップＳ６１：Ｙｅｓ）、再度ステップＳ５３に戻って処理を繰り返す。
【００８８】
次に、ステップＳ５３に戻って、タッチ入力部１１０より「ＭＥＮＵ」部分の押下入力がなかった場合（ステップＳ５３：Ｎｏ）、位置移動検出部２０１は、タッチ入力部１１０の静電パッド１１２に押圧入力があったか否かの判断をする（ステップＳ６２）。押圧入力がなかった場合（ステップＳ６２：Ｎｏ）、再度ステップＳ５３の処理を繰り返す。一方、押圧入力があった場合（ステップＳ６２：Ｙｅｓ）、位置移動検出部２０１は、押圧入力により移動した押圧位置と移動方向を検出する（ステップＳ６３）。そして、位置移動検出部２０１は、タッチ入力部１１０からの押圧入力により検出した押圧位置によって押圧位置の移動量を算出し、移動方向と算出した移動量に応じて、メニュー項目テーブルのメニュー項目における内部ポインタの位置を移動する（ステップ６４）。
【００８９】
そして、ポインタ表示部２１１は、液晶モニタ１２０のポインタ表示領域１２１における、メニュー項目テーブルに保持された内部ポインタが示すメニュー項目の位置に対応した位置に、表示ポインタ１２２を移動して表示する。また、メニュー表示部２１２は、液晶モニタ１２０の情報表示領域１２３にメニュー項目を移動して配置したメニュー画面を表示する（ステップＳ６５）。そして、再度ステップＳ５３の処理を繰り返す。
【００９０】
このようにして、第１の実施の形態にかかるデジタルカメラ１００は、メニュー項目やサブメニュー項目を円弧状に配置したメニュー画面を液晶モニタ１２０に表示し、さらに、メニュー項目テーブルに保持された内部ポインタが示すメニュー項目やサブメニュー項目の位置に対応した位置に、表示ポインタ１２２を表示する。従って、利用者のタッチ入力操作の軌跡と関連性を持たせてメニュー画面を表示でき、タッチ入力操作と表示されたメニュー画面の表示動作との関係を簡易に理解でき、的確な操作を促すことができる。また、表示されているメニュー項目やサブメニュー項目の位置を把握することができ、閲覧および検索を簡易に行うことができる。
【００９１】
次に、本実施の形態にかかるデジタルカメラの液晶モニタ１２０にサムネイル画像を表示する場合について説明する。まず、表示されるサムネイル画像の分類方法を示す表示タイプを、画像データの属性から選択する。図１２は、サムネイル画像を表示する場合における表示タイプの選択画面の説明図である。図１２に示すように、サムネイル画像を表示する場合、液晶モニタ１２０の円弧状の情報表示領域１２３には、「撮影日時」「画像サイズ」等の画像データの属性が表示され、利用者によりこの画像データの属性のうちのいずれかの表示タイプが選択される。そして、この表示タイプのうちの一項目であるカテゴリが選択され、選択されたカテゴリのサムネイル画像が表示されることになる。例えば、「撮影日時」の表示タイプが選択され、２００６年３月２６日に撮影されたカテゴリ「２００６．０３．２６」（選択日）が選択されると、２００６年３月２６日に撮影された画像のサムネイル画像が表示されることになる。
【００９２】
ここで、液晶モニタ１２０の情報表示領域１２３にサムネイル画像が表示された場合について説明する。図１３は、サムネイル画像を表示したデジタルカメラの背面図である。なお、図１３では、「撮影日時」の表示タイプのうちのカテゴリ「２００６．０３．２６」（選択日）が選択された場合を一例として示している。図１３に示すように、液晶モニタ１２０には、縦３列のカテゴリが円弧状に表示され、それぞれサムネイル画像が表示されている。この縦３列のカテゴリのうち、中央に表示されたカテゴリが利用者により選択された選択日のサムネイル画像であり、図示したサムネイル画像１２７が、現在選択されたサムネイル画像となっている。この選択日のサムネイル画像は、タッチ入力部１１０からの押圧入力により先頭から最終まで連続して円弧状に移動するため、選択日のサムネイル画像が閲覧可能となっている。また、選択日のサムネイル画像が表示されている円弧状の部分のポインタ表示領域１３０には、表示ポインタ１３１が表示されており、全ての選択日のサムネイル画像におけるサムネイル画像１２７の位置を示している。そして、選択日のサムネイル画像の左側のカテゴリには、選択日以前の最後の撮影日（選択日直前の撮影日）であるカテゴリ「２００６．０１．０５」の代表サムネイル画像１２８が表示されており、選択日のサムネイル画像の右側のカテゴリには、選択日以降の最初の撮影日（選択日直後の撮影日）であるカテゴリ「２００６．０３．２７」の代表サムネイル画像１２９が表示されている。
【００９３】
次に、本実施の形態にかかるデジタルカメラによるサムネイル画像表示処理について説明する。図１４は、第１の実施の形態のサムネイル画像表示処理の手順を示すフローチャートである。なお、図１４においても、「撮影日時」の表示タイプのうちのカテゴリ（選択日）が選択された場合を例として説明を行う。
【００９４】
まず、利用者によりタッチ入力部１１０からサムネイル画像表示の指示入力がなされ、カテゴリ「２００６．０３．２６」（選択日）が選択されると、抽出部２０３は、外部メモリ１４から画像データに付加された画像データの属性を参照して、選択日に対応する（撮影された）画像データを抽出する（ステップＳ７１）。テーブル生成部２０４は、抽出部２０３によって抽出された画像データの識別情報を登録した選択画像データテーブルを生成し、ＳＤＲＡＭ１２に一時的に保存する（ステップＳ７２）。そして、位置移動検出部２０１は、タッチ入力部１１０からの押圧入力により押圧位置、押圧位置の移動量および移動方向を求め、求めた押圧位置の移動量と移動方向に応じて、選択画像データテーブルのサムネイル画像の識別情報における内部ポインタ３０４の位置を移動する（ステップＳ７３）。
【００９５】
ポインタ表示部２１１は、液晶モニタ１２０のポインタ表示領域１２１において、選択画像データテーブルに保持された内部ポインタ３０４が示すサムネイル画像の位置に対応した位置に、表示ポインタ１２２を表示する。また、サムネイル画像表示部２１３は、液晶モニタ１２０の情報表示領域１２３における中央にサムネイル画像を表示する（ステップＳ７４）。なお、サムネイル画像以外の他の画面からサムネイル画像の表示の指示入力がなされた場合、すなわち、液晶モニタ１２０に新たにサムネイル画像を表示する場合、内部ポインタは全サムネイル画像の最初の画像の位置を示して保持されているものとする。
【００９６】
そして、サムネイル画像表示部２１３は、選択日のサムネイル画像の左側のカテゴリには、選択日以前の最後の撮影日であるカテゴリ「２００６．０１．０５」の代表サムネイル画像を表示し、選択日のサムネイル画像の右側のカテゴリには、選択日以降の最初の撮影日であるカテゴリ「２００６．０３．２７」の代表サムネイル画像１２９を表示する（ステップＳ７５）。
【００９７】
ここで、液晶モニタ１２０に表示されたサムネイル画像について説明する。図１５は、液晶モニタに表示されたサムネイル画像の一例を模式的に示した説明図である。図１５に示すように、液晶モニタ１２０には、縦３列のカテゴリが円弧状に表示され、その中央のカテゴリには、利用者により選択された選択日「２００６．０３．２６」のサムネイル画像が表示され、サムネイル画像ｂ１が現在選択されたサムネイル画像となっている。このサムネイル画像ｂ１の下には、選択日において、サムネイル画像ｂ１の次に撮影されたサムネイル画像ｂ２が表示されている。また、サムネイル画像ｂ１の上には、選択日において最後に撮影されたサムネイル画像ｂ２５が表示されている。そして、選択日のサムネイル画像は、タッチ入力部１１０からの押圧入力に伴って、先頭から最終まで連続して円弧状に移動することで閲覧可能となっている。そして、選択日のサムネイル画像の左側のカテゴリには、選択日以前の最後の撮影日であるカテゴリ「２００６．０１．０５」の代表サムネイル画像ａ１が表示されており、選択日のサムネイル画像の右側のカテゴリには、選択日以降の最初の撮影日であるカテゴリ「２００６．０３．２７」の代表サムネイル画像ｃ１が表示されている。なお、図１５では、表示ポインタは省略しており、後述する図１６〜２１においても同様に表示ポインタは省略する。
【００９８】
また、選択日以前の最後の撮影日の画像データがない場合について説明する。図１６は、液晶モニタに表示されたサムネイル画像の他の一例を模式的に示した説明図である。図１６に示すように、選択日以前の最後の撮影日の画像データがない場合は、その中央のカテゴリには、利用者により選択された選択日「２００６．０１．０５」のサムネイル画像が表示され、サムネイル画像ａ１が現在選択されたサムネイル画像となっている。また、上記と同様に、サムネイル画像ａ１の上下には、それぞれサムネイル画像ａ２、ａ８が表示されている。そして、選択日のサムネイル画像の左側のカテゴリには、選択日以前の最後の撮影日の画像データがないため「Ｎｏ  Ｐｈｏｔｏ」と表示されており、選択日のサムネイル画像の右側のカテゴリには、選択日以降の最初の撮影日であるカテゴリ「２００６．０３．２６」の代表サムネイル画像ｂ１が表示されている。
【００９９】
サムネイル画像表示処理に戻って、位置移動検出部２０１は、タッチ入力部１１０より「ＭＥＮＵ」部分の押下入力があったか否かの判断をする（ステップＳ７６）。「ＭＥＮＵ」部分の押下入力があった場合（ステップＳ７６：Ｙｅｓ）、選択日における選択されたサムネイル画像（例えば、図１５におけるサムネイル画像ｂ１）が液晶モニタ１２０の全面に表示される（ステップＳ７７）。
【０１００】
一方、ステップＳ７６において、「ＭＥＮＵ」部分の押下入力がなかった場合（ステップＳ７６：Ｎｏ）、タッチ入力部１１０の右側領域ｃまたは左側領域ｄ（図５−２参照）に押圧入力があったか否かの判断をする（ステップＳ７８）。右側領域ｃまたは左側領域ｄに押圧入力があった場合（ステップＳ７８：Ｙｅｓ）、その押圧入力によって入力された日付のカテゴリが選択される（ステップＳ７９）。つまり、右側領域ｃへの押圧入力がなされた場合は、選択日以降の最初の撮影日が選択日（カテゴリ）として選択され、左側領域ｄへの押圧入力がなされた場合は、選択日以前の最後の選択日が選択日（カテゴリ）として選択される。そして、再度ステップＳ７１に戻って処理を繰り返す。
【０１０１】
例えば、図１５を参照して、選択日「２００６．０３．２６」のサムネイル画像が中央に表示されている場合に、右側領域ｃへの押圧入力がなされた場合は、選択日以降の最初の撮影日が選択日であって、右隣りに表示されている日付「２００６．０３．２７」が選択日として選択される。そして、図１７に示すように、選択日「２００６．０３．２７」のサムネイル画像が中央に表示されることになる。また、図１５を参照して、選択日「２００６．０３．２６」のサムネイル画像が中央に表示されている場合に、左側領域ｄへの押圧入力がなされた場合は、選択日以前の最後の撮影日が選択日であって、左隣りに表示されている日付「２００６．０１．０５」が選択日として選択される。そして、図１６に示すように、選択日「２００６．０１．０５」のサムネイル画像が中央に表示されることになる。
【０１０２】
ステップＳ７８に戻って、右側領域ｃまたは左側領域ｄに押圧入力がなかった場合（ステップＳ７８：Ｎｏ）、位置移動検出部２０１は、タッチ入力部１１０の静電パッド１１２に押圧入力があったか否かの判断をする（ステップＳ８０）。押圧入力がなかった場合は（ステップＳ８０：Ｎｏ）、再度ステップＳ７６の処理を繰り返す。一方、押圧入力があった場合（ステップＳ８０：Ｙｅｓ）、位置移動検出部２０１は、押圧入力により移動した押圧位置と移動方向を検出する（ステップＳ８１）。そして、位置移動検出部２０１は、タッチ入力部１１０からの押圧入力により検出した押圧位置によって押圧位置の移動量を算出し、移動方向と算出した移動量に応じて選択画像データテーブルのサムネイル画像の識別情報における内部ポインタ３０４の位置を移動する（ステップ８２）。
【０１０３】
そして、ポインタ表示部２１１は、液晶モニタ１２０のポインタ表示領域１２４において、選択画像データテーブルに保持された内部ポインタ３０４が示す画像データの識別情報の位置に対応した位置に、表示ポインタ１３１を移動して表示する。また、サムネイル画像表示部２１３は、液晶モニタ１２０の情報表示領域１２３にサムネイル画像を選択日の他のサムネイル画像に移動して表示する（ステップＳ８３）。そして、再度ステップＳ７６の処理を繰り返す。
【０１０４】
ここで、ステップＳ８３におけるサムネイル画像表示部２１３によるサムネイル画像の移動表示について説明する。例えば、図１５および図５−２を参照して、選択日「２００６．０３．２６」のサムネイル画像の中央にサムネイル画像ｂ１が表示されている場合に、タッチ入力部１１０に対してａからｂへの矢印方向（時計回り方向）に押圧入力がなされた場合、選択日におけるサムネイル画像も時計回りの方向に移動して表示され、図１８に示すように、サムネイル画像ｂ２、ｂ３と移動して表示される。
【０１０５】
一方、例えば、図１５および図５−２を参照して、選択日「２００６．０３．２６」のサムネイル画像の中央にサムネイル画像ｂ１が表示されている場合に、タッチ入力部１１０に対してｂからａへの矢印方向（反時計回り方向）に押圧入力がなされた場合、選択日におけるサムネイル画像も反時計回りの方向に移動して表示され、図１９に示すように、サムネイル画像ｂ２５、ｂ２４と移動して表示される。
【０１０６】
このように、本実施の形態にかかるデジタルカメラ１００は、選択日（選択されたカテゴリ）のサムネイル画像を移動可能な状態で中央に表示し、選択画像データテーブルに保持された内部ポインタ３０４が示すサムネイル画像の位置に対応した位置に、表示ポインタ１２２を表示する。また、選択日のサムネイル画像の左側のカテゴリには、選択日以前の最後の撮影日であるカテゴリ（直前のカテゴリ）の代表サムネイル画像を表示し、選択日のサムネイル画像の右側のカテゴリには、選択日以降の最初の撮影日であるカテゴリ（直後のカテゴリ）の代表サムネイル画像１２９を表示する。従って、サムネイル画像を、選択日のカテゴリごとに連続性をもって表示でき、サムネイル画像の閲覧および検索を簡易に行うことができる。また、表示されているサムネイル画像の位置を把握することができ、閲覧および検索を簡易に行うことができる。
【０１０７】
また、選択日の直前または直後のカテゴリの代表サムネイル画像を、選択日のカテゴリに隣接する位置にそれぞれ表示するため、選択日のサムネイル画像の表示とともに、直前または直後のカテゴリの代表サムネイル画像を確認することができる。また、サムネイル画像をタッチ入力部１１０からの押圧入力による略円形状の一部の円弧と相似する円弧状に配置して表示するため、利用者のタッチ入力操作の軌跡と関連性を持たせてサムネイル画像を表示でき、タッチ入力操作と表示されたサムネイル画像等の表示動作との関係を簡易に理解でき、的確な操作を促すことができる。また、デジタルカメラの画像ファイルの共通規格であるExifを利用しているため、既存の情報を利用してサムネイル画像の分類を行うことができる。
【０１０８】
なお、本実施の形態では、サムネイル画像を表示するカテゴリとして、「撮影日時」の日付が選択された場合を例として説明したが、他の画像データの属性であるＩＳＯ感度によるカテゴリについても、サムネイル画像を表示できる。図２０は、ＩＳＯ感度により分類された場合の液晶モニタに表示されたサムネイル画像の一例を模式的に示した説明図である。図２０に示すように、日付で選択された場合と同様に、液晶モニタ１２０には、縦３列のカテゴリが円弧状に表示され、その中央のカテゴリには、利用者により選択されたＩＳＯ感度の「ＩＳＯ４００」のサムネイル画像が表示され、サムネイル画像ｂ１が現在選択されたサムネイル画像となっている。また、ＩＳＯ感度は、２００、４００、８００と設定可能であり、ＩＳＯ感度の「ＩＳＯ４００」のサムネイル画像の左側のカテゴリには、ＩＳＯ感度の「ＩＳＯ２００」の代表サムネイル画像ａ１が表示されており、ＩＳＯ感度の「ＩＳＯ４００」のサムネイル画像の右側のカテゴリには、ＩＳＯ感度の「ＩＳＯ８００」の代表サムネイル画像ｃ１が表示されている。これにより、ＩＳＯ感度の異なるサムネイル画像を横並びに比較しつつ閲覧することができる。
【０１０９】
また、他の画像データの属性である画像サイズによるカテゴリについても、サムネイル画像を表示できる。図２１は、画像サイズにより分類された場合の液晶モニタに表示されたサムネイル画像の一例を模式的に示した説明図である。図２１に示すように、日付で選択された場合と同様に、液晶モニタ１２０には、縦３列のカテゴリが円弧状に表示され、その中央のカテゴリには、利用者により選択された画像サイズの「Ｆｉｎｅ（２０４８×１５３６）」のサムネイル画像が表示され、サムネイル画像ｂ１が現在選択されたサムネイル画像となっている。また、画像サイズは、ＳｕｐｅｒＦｉｎｅ、Ｆｉｎｅ、Ｎｏｒｍａｌと設定可能であり、画像サイズの「Ｆｉｎｅ（２０４８×１５３６）」のサムネイル画像の左側のカテゴリには、画像サイズの「ＳｕｐｅｒＦｉｎｅ（２５９２×１９４４）」の代表サムネイル画像ａ１が表示されており、画像サイズの「Ｆｉｎｅ（２０４８×１５３６）」のサムネイル画像の右側のカテゴリには、画像サイズの「Ｎｏｒｍａｌ（１２８０×９６０）」の代表サムネイル画像ｃ１が表示されている。これにより、例えばプリントする画像を選択する場合などに、同じ画像サイズの画像を閲覧してプリントすることができる。
【０１１０】
また、画像データの属性ではなく、例えば一回の旅行における３日分のサムネイル画像を、一つのカテゴリにして表示してもよい。その場合は、予め撮影時もしくは撮影後に、一つのカテゴリとする一回の旅行のサムネイル画像を保存したフォルダを作成する。そして、選択したカテゴリ（一回の旅行）の左側のカテゴリには選択したカテゴリにおける旅行以前の最後の旅行の代表サムネイル画像を表示し、右側のカテゴリには選択したカテゴリにおける旅行以降の最初の旅行の代表サムネイルを表示してもよい。また、サムネイル画像を一年毎とに分類して、選択したカテゴリの左側のカテゴリには選択したカテゴリの前年の代表サムネイル画像を表示し、右側のカテゴリには選択したカテゴリの後年の代表サムネイルを表示してもよい。
【０１１１】
また、本実施の形態にかかるデジタルカメラでは、選択日のサムネイル画像を表示する場合、縦３列の円弧状のカテゴリにサムネイル画像を表示しているが、液晶モニタ１２０に対して横３列の円弧状のカテゴリにサムネイル画像を表示してもよい。そして、タッチ入力部１１０への円弧状の押圧入力、またはタッチ入力部１１０の右側領域ｃおよび左側領域ｄへの押下入力により、選択日のサムネイル画像を移動して表示し、タッチ入力部１１０の上側領域ｆまた下側領域ｅへの押下入力により選択日の日付を変更してサムネイル画像を表示する。
【０１１２】
また、本実施の形態にかかるデジタルカメラでは、選択日のサムネイル画像の左側のカテゴリには、選択日以前の最後の撮影日であるカテゴリの代表サムネイル画像１２８が表示され、選択日のサムネイル画像の右側のカテゴリには、選択日以降の最初の撮影日であるカテゴリの代表サムネイル画像１２９が表示されているが、右側もしくは左側のカテゴリにおいても、代表サムネイル画像だけでなく全てのサムネイル画像を表示可能とする構成にしてもよい。この場合、選択日のサムネイル画像の右側もしくは左側のカテゴリにおけるサムネイル画像も、タッチ入力部１１０からの押圧入力により先頭から最終まで連続して円弧状に移動して閲覧可能とすることもできる。
【０１１３】
（第２の実施の形態）
第１の実施の形態におけるデジタルカメラでは、選択されたカテゴリのサムネイル画像の左側のカテゴリには、選択されたカテゴリの直前または直後のカテゴリの代表サムネイル画像を、選択されたカテゴリのサムネイル画像に隣接する位置に表示するものであったが、本実施の形態では、さらに、選択されたカテゴリの直前または直後のカテゴリの代表サムネイル画像を変更して表示することが可能となっている。
【０１１４】
本実施の形態にかかるデジタルカメラ背面には、液晶モニタ１２０とタッチ入力部１１０とが配置されており、第１の実施の形態と同様であるため説明は省略する（図１、２、３、５−１、５−２参照）。また、本実施の形態にかかるデジタルカメラのハードウェア構成についても、第１の実施の形態と同様であるため説明を省略する（図４参照）。
【０１１５】
次に、デジタルカメラ２００の機能的構成について説明する。図２２は、第２の実施の形態にかかるデジタルカメラの構成を示すブロック図である。図２２に示すように、デジタルカメラ２００は、画像表示回路８と、ＲＯＭ１１と、ＳＤＲＡＭ１２と、外部メモリ１４と、Ａ／Ｄ変換器１５と、位置移動検出部２０１と、カテゴリ選択部２０２と、抽出部２０３と、テーブル生成部２０４と、代表画像変更部２０５と、表示制御部２１０とを主に備えている。
【０１１６】
ここで、画像表示回路８と、ＲＯＭ１１と、ＳＤＲＡＭ１２と、外部メモリ１４と、Ａ／Ｄ変換器１５と、位置移動検出部２０１と、カテゴリ選択部２０２と、抽出部２０３と、テーブル生成部２０４の構成および機能は、第１の実施の形態と同様であるため説明を省略する。
【０１１７】
代表画像変更部２０５は、サムネイル画像表示部２１３によって利用者により選択されたカテゴリのサムネイル画像が液晶モニタ１２０に表示されている場合に、タッチ入力部１１０からの押圧入力または押下入力によって、選択されたカテゴリと同一のカテゴリ内の他のサムネイル画像の選択された場合、代表サムネイル画像を選択された他のサムネイル画像に変更するものである。これによって、他のカテゴリが選択され、その他のカテゴリの右側もしくは左側に先の代表サムネイル画像が表示される場合、変更された代表サムネイル画像が表示されることになる。
【０１１８】
表示制御部２１０は、液晶モニタ１２０に情報を表示する制御を行うものであり、さらに、ポインタ表示部２１１と、メニュー表示部２１２と、サムネイル画像表示部２１３とを主に備えている。ここで、ポインタ表示部２１１と、メニュー表示部２１２の構成及び機能は、第１の実施の形態と同様であるため説明を省略する。
【０１１９】
サムネイル画像表示部２１３は、第１の実施の形態の機能に加え、代表画像変更部２０５によって変更された代表サムネイル画像を、利用者により選択されたカテゴリの右側もしくは左側の隣接する位置に表示するものである。
【０１２０】
次に、「撮影日時」で分類されたカテゴリ（選択日）のサムネイル画像が表示された場合を例として、代表サムネイル画像の表示について説明する。なお、サムネイル画像の表示方法については、第１の実施の形態と同様であるため説明を省略する。
【０１２１】
まず、図１５を参照して説明する。図１５に示すように、液晶モニタ１２０に表示された中央のカテゴリに、利用者により選択された選択日「２００６．０３．２６」のサムネイル画像が表示され、先頭（ｂ１）から最終（ｂ２５）までのサムネイル画像は、連続して円弧状に移動することで閲覧可能となっている。
【０１２２】
そして、サムネイル画像ｂ１が代表サムネイル画像である場合に、利用者のタッチ入力操作により選択日のサムネイル画像が移動されると、図２３に示すように、選択されたサムネイル画像がｂ３へ移動する。このとき、タッチ入力部１１０への押下入力もしくは押圧入力により、代表サムネイル画像としてサムネイル画像ｂ３が選択されると、代表サムネイル画像がサムネイル画像ｂ３へ変更される。そして、タッチ入力部１１０の右側領域ｃ（図５−２参照）への押下入力がなされると、「２００６．０３．２７」の選択日が選択され、中央のカテゴリに移動する。すると、図２４に示すように、中央のカテゴリには、選択日「２００６．０３．２７」のサムネイル画像が表示される。このとき、上述したように、「２００６．０３．２６」のサムネイル画像ｂ３を代表サムネイル画像と変更したため、選択日「２００６．０３．２７」の左側のカテゴリには、代表サムネイル画像として、サムネイル画像ｂ３が表示されることになる。
【０１２３】
このように、本実施の形態にかかるデジタルカメラ１００は、第１の実施の形態にかかるデジタルカメラの効果に加え、代表サムネイル画像を同一の選択日（選択されたカテゴリ）内の他のサムネイル画像に変更するため、選択日の撮影内容に関連する画像を代表サムネイル画像として表示でき、さらに検索性を向上させることができる。
【０１２４】
なお、本実施の形態のデジタルカメラで実行される表示プログラムは、インターネット等のネットワークに接続されたコンピュータ上に格納し、ネットワーク経由でダウンロードさせることにより提供するように構成してもよい。また、本実施の形態のデジタルカメラで実行される表示プログラムをインターネット等のネットワーク経由で提供または配布するように構成してもよい。
【０１２５】
また、本実施の形態の表示プログラムを、ＲＯＭ等に予め組み込んで提供するように構成してもよい。
【０１２６】
本実施の形態のデジタルカメラで実行される表示プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記憶媒体に記録されて提供される。
【０１２７】
本実施の形態のデジタルカメラで実行される表示プログラムは、上述した各部（位置移動検出部２０１、カテゴリ選択部２０２、抽出部２０３、テーブル生成部２０４、代表画像変更部２０５、ポインタ表示部２１１、メニュー表示部２１２、サムネイル画像表示部２１３など）を含むモジュール構成となっており、実際のハードウェアとしてはＣＰＵ（プロセッサ）が上記記憶媒体から表示プログラムを読み出して実行することにより上記各部が主記憶装置上にロードされ、位置移動検出部２０１、カテゴリ選択部２０２、抽出部２０３、テーブル生成部２０４、代表画像変更部２０５、ポインタ表示部２１１、メニュー表示部２１２、サムネイル画像表示部２１３などが主記憶装置上に生成されるようになっている。
【図面の簡単な説明】
【０１２８】
【図１】第１の実施の形態にかかるデジタルカメラの背面図である。
【図２】タッチ入力部１１０の部材構成を示す分解斜視図である。
【図３】タッチ入力部１１０の構造を示す断面図である。
【図４】第１の実施の形態にかかるデジタルカメラのハードウェア構成図である。
【図５−１】液晶モニタに表示された表示ポインタを説明するための図である。
【図５−２】タッチ入力部に対するタッチ入力操作を説明するための図である。
【図６】第１の実施の形態にかかるデジタルカメラの構成を示すブロック図である。
【図７】ＲＯＭに保存されたメニュー項目テーブルの一例を示す説明図である。
【図８】外部メモリに保存された画像データの一例を示す説明図である。
【図９】ＳＤＲＡＭ１２に保存された選択画像データテーブルの一例を示す説明図である。
【図１０】第１の実施の形態のメニュー画面表示処理の手順を示すフローチャートである。
【図１１】サブメニュー項目を配置したメニュー画面を表示したデジタルカメラの背面図である。
【図１２】サムネイル画像を表示する場合における表示タイプの選択画面の説明図である。
【図１３】サムネイル画像を表示したデジタルカメラの背面図である。
【図１４】第１の実施の形態のサムネイル画像表示処理の手順を示すフローチャートである。
【図１５】液晶モニタに表示されたサムネイル画像の一例を模式的に示した説明図である。
【図１６】液晶モニタに表示されたサムネイル画像の他の一例を模式的に示した説明図である。
【図１７】液晶モニタに表示されたサムネイル画像の他の一例を模式的に示した説明図である。
【図１８】液晶モニタに表示されたサムネイル画像の他の一例を模式的に示した説明図である。
【図１９】液晶モニタに表示されたサムネイル画像の他の一例を模式的に示した説明図である。
【図２０】ＩＳＯ感度により分類された場合の液晶モニタに表示されたサムネイル画像の一例を模式的に示した説明図である。
【図２１】画像サイズにより分類された場合の液晶モニタに表示されたサムネイル画像の一例を模式的に示した説明図である。
【図２２】第２の実施の形態にかかるデジタルカメラの構成を示すブロック図である。
【図２３】液晶モニタに表示されたサムネイル画像の他の一例を模式的に示した説明図である。
【図２４】液晶モニタに表示されたサムネイル画像の他の一例を模式的に示した説明図である。
【符号の説明】
【０１２９】
１００  デジタルカメラ
１  撮像光学系
２  メカシャッタ
３  ＣＣＤ
４  ＣＤＳ回路
５  Ａ／Ｄ変換器
６  モータドライバ
７  タイミング信号発生器
８  画像表示回路
９  ＣＰＵ
１０  ＲＡＭ
１１  ＲＯＭ
１２  ＳＤＲＡＭ
１３圧縮伸長回路
１４  外部メモリ
１５  Ａ／Ｄ変換器
１６  バスライン
１１０  タッチ入力部
１１１  ＬＥＤ
１１２  静電パッド
１１３  支持部材
１１４  タクトスイッチ
１１５  センサ
１１６  基板
１２０  液晶モニタ
１２１、１２４、１３０  ポインタ表示領域
１２２、１２５、１３１  表示ポインタ
１２３  情報表示領域
１２７  サムネイル画像
１２８、１２９  代表サムネイル画像
２０１  位置移動検出部
２０２  カテゴリ選択部
２０３  抽出部
２０４  テーブル生成部
２０５  代表画像変更部
２１０  表示制御部
２１１  ポインタ表示部
２１２  メニュー表示部
２１３  サムネイル画像表示部
３０１、３０２、３０３、３０４  内部ポインタ
３１１  メニュー項目群
３１２、３１３  サブメニュー項目群
ｃ  右側領域
ｄ  左側領域
ｅ  下側領域
ｆ  上側領域
【図１】
2008131377.tif 000003
【図２】
2008131377.tif 000004
【図３】
2008131377.tif 000005
【図４】
2008131377.tif 000006
【図５−１】
2008131377.tif 000007
【図５−２】
2008131377.tif 000008
【図６】
2008131377.tif 000009
【図７】
2008131377.tif 000010
【図８】
2008131377.tif 000011
【図９】
2008131377.tif 000012
【図１０】
2008131377.tif 000013
【図１１】
2008131377.tif 000014
【図１２】
2008131377.tif 000015
【図１３】
2008131377.tif 000016
【図１４】
2008131377.tif 000017
【図１５】
2008131377.tif 000018
【図１６】
2008131377.tif 000019
【図１７】
2008131377.tif 000020
【図１８】
2008131377.tif 000021
【図１９】
2008131377.tif 000022
【図２０】
2008131377.tif 000023
【図２１】
2008131377.tif 000024
【図２２】
2008131377.tif 000025
【図２３】
2008131377.tif 000026
【図２４】
2008131377.tif 000027